(57)【要約】【課題】喫煙者及び非喫煙者が共に遊技に専念できる環境を提供する。【解決手段】遊技機１は、遊技の開始を指令するスタートレバー６などと、複数の図柄を変動表示可能なリール３Ｌ・３Ｃ・３Ｒ等と、遊技の開始と遊技状態とに基づいて内部当籤役を決定する主制御回路等と、図柄の変動表示が停止される結果が所定の停止態様である場合に、遊技価値を付与するホッパーなどとを備えている。また、この遊技機１は、遊技機１の取扱説明書に係る映像や遊技店のイベントカレンダーに係る映像を表示可能で、かつ、隣接する遊技者の間に出没可能に配置される煙遮断ディスプレイ１５０を備えている。【選択図】図１
2008125652.tif 000002
【特許請求の範囲】
【請求項１】
遊技の開始を指令する遊技開始指令手段と、
複数の図柄を変動表示可能な図柄表示手段と、
前記遊技の開始と遊技状態とに基づいて内部当籤役を決定する内部当籤役決定手段と、
前記図柄の変動表示が停止される結果が所定の停止態様である場合に、遊技価値を付与する遊技価値付与手段と、
種々の情報を表示可能で、かつ、隣接する遊技者の間に出没可能に配置される仕切手段とを備えることを特徴とする、遊技機。
【請求項２】
前記仕切手段は、前記種々の情報に係る映像を表示可能な液晶表示装置を含むことを特徴とする、請求項１に記載の遊技機。
【請求項３】
前記液晶表示装置に表示される前記種々の情報に係る映像の切替を遊技者の操作に応じて指令する切替指令手段と、
前記切替指令手段の指令に基づいて、前記液晶表示装置に表示される映像を切り替える表示制御手段とをさらに備えることを特徴とする、請求項２に記載の遊技機。
【請求項４】
前記仕切手段は、前記種々の情報に係る印刷物を挟持する透明の表面パネル及び裏面パネルを有する表示パネルを含むことを特徴とする、請求項１に記載の遊技機。
【請求項５】
前記仕切手段を出没可能に移動させる移動機構と、
前記移動機構を制御して、前記仕切手段を移動させる制御手段とをさらに備えることを特徴とする、請求項１〜４のいずれか１項に記載の遊技機。
【請求項６】
前記仕切手段の出没動作の開始を遊技者の操作に応じて指令する出没開始指令手段をさらに備え、
前記制御手段は、前記出没開始指令手段の指令に基づいて、前記仕切手段を突出及び没入させることを特徴とする、請求項５に記載の遊技機。
【請求項７】
周囲の煙を検知する検知手段をさらに備え、
前記制御手段は、前記検知手段により煙が検知される場合に、前記仕切手段を突出させ、前記検知手段により煙が検知されない場合に、前記仕切手段を没入させることを特徴とする、請求項５又は６に記載の遊技機。
【発明の詳細な説明】
【技術分野】
【０００１】
本発明は、遊技機に関し、特に、遊技店内における周囲の喫煙者からのタバコの煙を遮蔽する遊技機に関する。
【背景技術】
【０００２】
パチスロ遊技機やパチンコ遊技機などの遊技機には、灰皿などの喫煙部材が備え付けられており、喫煙者は当該喫煙部材を利用することにより喫煙しながら遊技を行っている。複数の遊技機が隣接して設置される遊技店内では、喫煙者だけでなく非喫煙者も遊技を行っており、非喫煙者にとっては、喫煙者からのタバコの煙が不快なものになっていた。そのため、遊技店内が非喫煙者にとって遊技に専念できない環境となっていた。また、喫煙者にとっても、周囲の非喫煙者に気を使い、遊技に専念できない環境となっていた。
【０００３】
そこで、タバコの煙を遮蔽することによって、非喫煙者の周囲にタバコの煙が至らないようにする遊技機が開発されている（例えば、特許文献１参照）。この特許文献１には、遊技機本体の側面に設けられる仕切り板収納部から、仕切り板を引き出すことによって、隣接する遊技者（喫煙者）からのタバコの煙を遮蔽する遊技機が開示されている。これにより、非喫煙者にとって快適な遊技環境を提供している。
【０００４】
【特許文献１】特開２００６−６１３１８号公報
【発明の開示】
【発明が解決しようとする課題】
【０００５】
しかしながら、上記特許文献１に開示された遊技機では、タバコの煙の遮蔽効果は見込めるものの、仕切り板を引き出すことによって、隣接する喫煙者に対して、露骨にタバコの煙に対して嫌悪を示してしまうという不都合があった。そのため、当該嫌悪を示された喫煙者は不快に感じて、遊技に専念できないという問題があった。また、非喫煙者は、喫煙者に露骨にタバコの煙に対して嫌悪を示してしまうのを避けるために、仕切り板を引き出すのを躊躇ってしまうという問題があった。その結果、喫煙者及び非喫煙者が共に遊技に専念できる環境を提供することができなかった。
【０００６】
そこで、本発明は、喫煙者及び非喫煙者が共に遊技に専念できる環境を提供することが可能な遊技機を提供することを目的とする。
【課題を解決するための手段及び効果】
【０００７】
上記目的を達成するために、本発明の遊技機は、遊技の開始を指令する遊技開始指令手段と、複数の図柄を変動表示可能な図柄表示手段と、遊技の開始と遊技状態とに基づいて内部当籤役を決定する内部当籤役決定手段と、図柄の変動表示が停止される結果が所定の停止態様である場合に、遊技価値を付与する遊技価値付与手段と、種々の情報を表示可能で、かつ、隣接する遊技者の間に出没可能に配置される仕切手段とを備えている。
【０００８】
上記構成によれば、隣接する遊技機における遊技者の喫煙によりタバコの煙が発生した場合でも、仕切手段を突出させることにより、当該タバコの煙を遮蔽することができる。突出される仕切手段には種々の情報が表示可能であるので、タバコの煙を遮蔽するために突出させたとしても、隣接する遊技機における遊技者に対して、露骨にタバコの煙に対して嫌悪を示してしまうのを抑制することができる。これにより、遊技に専念できる快適な遊技環境を遊技者に提供することができるとともに、隣接する喫煙者に嫌悪を与えてしまうのを抑制することができる。その結果、喫煙者及び非喫煙者の両遊技者に対して、遊技に専念できる環境を提供することができる。
【０００９】
上記遊技機において、好ましくは、仕切手段は、種々の情報に係る映像を表示可能な液晶表示装置を含んでいる。
【００１０】
上記構成によれば、種々の情報に係る映像を容易に表示することができる。
【００１１】
この場合、液晶表示装置に表示される種々の情報に係る映像の切替を遊技者の操作に応じて指令する切替指令手段と、切替指令手段の指令に基づいて、液晶表示装置に表示される映像を切り替える表示制御手段とをさらに備えている。
【００１２】
上記構成によれば、遊技者の操作に応じて液晶表示装置に表示される映像を切り替えることができるので、遊技者は所望の映像を選択して見ることができる。
【００１３】
上記遊技機において、好ましくは、仕切手段は、種々の情報に係る印刷物を挟持する透明の表面パネル及び裏面パネルを有する表示パネルを含んでいる。
【００１４】
上記構成によれば、簡易な構成でかつ安価に、種々の情報を表示可能でかつタバコの煙を遮蔽可能な仕切手段（表示パネル）を得ることができる。
【００１５】
上記遊技機において、好ましくは、仕切手段を出没可能に移動させる移動機構と、移動機構を制御して、仕切手段を移動させる制御手段とをさらに備えている。
【００１６】
上記構成によれば、仕切手段の突出及び没入を自動で行うことができる。
【００１７】
この場合、仕切手段の出没動作の開始を遊技者の操作に応じて指令する出没開始指令手段をさらに備えている。そして、制御手段は、出没開始指令手段の指令に基づいて、仕切手段を突出及び没入させる。
【００１８】
上記構成によれば、遊技者の操作に応じて仕切手段を突出及び没入させることができるので、遊技者の所望のタイミングで仕切手段を突出及び没入させることができる。
【００１９】
上記移動機構及び制御手段を備えた遊技機において、好ましくは、周囲の煙を検知する検知手段をさらに備えている。そして、制御手段は、検知手段により煙が検知される場合に、仕切手段を突出させ、検知手段により煙が検知されない場合に、仕切手段を没入させる。
【００２０】
上記構成によれば、タバコの煙の検知結果に基づいて仕切手段を自動的に突出及び没入させることができる。
【発明を実施するための最良の形態】
【００２１】
（第１実施形態）
本発明の第１実施形態による遊技機１を図１ないし図１３に基づいて以下に説明する。
【００２２】
本実施形態による遊技機１は、所謂『パチスロ機』であり、複数の図柄の変動表示を停止して表示される図柄に基づいて特定の入賞態様が成立するように、遊技者の操作により変動表示を停止可能に構成されている。尚、遊技機１は、コインやメダル、遊技球、トークン等の他、遊技者に付与された、もしくは付与される遊技価値の情報を記憶したカード等の遊技媒体を用いて遊技するものであるが、以下の説明においては、メダルを用いるものとして説明する。
【００２３】
（遊技機１の機械的構成）
遊技機１は、図１に示すように、遊技機１の全体を形成しているキャビネット２を有している。キャビネット２には、液晶表示装置５が正面側に設けられていると共に、図柄表示手段としての３つの回転リール３Ｌ・３Ｃ・３Ｒが液晶表示装置５の裏面側に設けられている。液晶表示装置５は、回転リール３Ｌ・３Ｃ・３Ｒの図柄等を前面側から視認するように構成されていると共に、図示しない演出画像等を表示するように構成されている。
【００２４】
即ち、液晶表示装置５は、図２に示すように、透過性を有した正面パネル５１と、正面パネル５１の裏面側に設けられた図示しない透過液晶パネルとを備えている。正面パネル５１は、透明な表示窓５１ａと、絵柄が描かれた絵柄形成領域５１ｂとを有している。表示窓５１ａは、回転リール３Ｌ・３Ｃ・３Ｒの図柄や透過液晶パネルに表示される図示しない演出画像等を透過することにより遊技機１の前面側からこれらを視認可能にしている。これにより、表示窓５１ａの中央部には、回転リール３Ｌ・３Ｃ・３Ｒの図柄が表示される。また、表示窓５１ａには、透過液晶パネルに表示された図示しない演出画像等が表示されるようになっている。
【００２５】
なお、本実施の形態においては、液晶表示装置５が、回転リール３Ｌ・３Ｃ・３Ｒの前面に設けられている場合について説明するが、本発明において、液晶表示装置５が設けられる位置は、特に限定されるものではない。
【００２６】
図１又は図２において、液晶表示装置５の背面側に設けられた回転リール３Ｌ・３Ｃ・３Ｒは、それぞれその外周面に複数の図柄からなる図柄列が記されている。図柄列は、図３に示すように、「００」〜「２０」のコードナンバーが付された複数種類の図柄からなっている。具体的には、「赤７（図柄９１）」、「青７（図柄９２）」、「ＢＡＲ（図柄９３）」、「ベル（図柄９４）」、「スイカ（図柄９５）」、「チェリー（図柄９６）」、「リプレイ（図柄９７）」及び「ブランク（図柄９８）」の図柄からなっている。各回転リール３Ｌ・３Ｃ・３Ｒは、定速回転（例えば８０回転／分）で回転する。上記の図柄列中における「赤７」、「青７」は、特定の入賞態様を構成するものとして設定されている。ここで、特定の入賞態様とは、後述のＢＢ（ビッグボーナス）やＲＢ（レギュラーボーナス）のボーナスが成立する入賞態様を意味する。また、「ブランク」は、基本的に、役の成立に直接関係のない図柄である。すなわち、「ブランク」がいずれかの有効ラインに沿って並んで表示された場合でも、メダルの払出し、メダルの自動投入、後述の遊技状態の移行などの利益が遊技者に付与されることはない。
【００２７】
回転リール３Ｌ・３Ｃ・３Ｒの各図柄は、図２に示すように、キャビネット２の正面から液晶表示装置５を介して、回転リール３Ｌ・３Ｃ・３Ｒの図柄が縦方向に３つずつ、合計９つの図柄を視認できるようになっている。また、視認可能な９つの図柄の停止位置に対応して、５本の入賞ラインが設定されている。即ち、上下方向に３つ並ぶ図柄を水平に横切るトップライン８ｂ、センターライン８ｃ及びボトムライン８ｄ、斜め方向にクロスダウンライン８ａ、クロスアップライン８ｅが設けられている。
【００２８】
これらの入賞ラインは、後述の１−ＢＥＴボタン１１、最大ＢＥＴボタン１２を操作すること、或いはメダル投入口２２にメダルを投入することにより、１枚賭け時は１本（センターライン８ｃのみ）、２枚賭け時（１−ＢＥＴボタン１１を２回操作（押圧）又は、メダルを２枚投入）は３本（センターライン８ｃに加え、トップライン８ｂ、ボトムライン８ｄ）、最大枚数（本実施例では３枚）賭け時は５本（２枚賭け時の３本に加え、クロスダウンライン８ａ、クロスアップライン８ｅ）が有効化される。入賞ライン８ａ〜８ｅは、役の入賞の成否に関わる。具体的には、所定の役に対応する図柄組合せを構成する図柄が何れかの有効化された入賞ラインに対応する所定の位置に並んで停止表示されることにより、所定の役の入賞が成立することとなる。
【００２９】
図２において、液晶表示装置５の左側の背面側には、遊技開始表示ランプ２５、当り表示ランプ（所謂「ＷＩＮランプ」）１７、メダル投入ランプ２４、１−ＢＥＴランプ９ａ、２−ＢＥＴランプ９ｂ及び最大ＢＥＴランプ９ｃの各種ランプと、払出枚数表示部１８、クレジット表示部１９及びボーナス回数表示部２０の各種表示部とが設けられている。これらランプも、回転リール３Ｌ・３Ｃ・３Ｒと同様に、キャビネット２の正面から液晶表示装置５を介して、視認できるようになっている。
【００３０】
１−ＢＥＴランプ９ａ、２−ＢＥＴランプ９ｂ及び最大ＢＥＴランプ９ｃは、一の遊技（単位遊技）を行うために賭けられたメダルの数（以下、ＢＥＴ数ともいう）に応じて点灯する。尚、一の遊技は、全ての回転リール３Ｌ・３Ｃ・３Ｒが停止したとき、又は、メダルの払い出しが行われる場合には、メダルが払い出されたときに終了する。
【００３１】
ＷＩＮランプ１７は、ＢＢ又はＲＢに内部当籤した場合に所定確率で点灯し、また、ＢＢ又はＲＢの入賞が成立した場合にも点灯する。メダル投入ランプ２４は、メダルの投入が受け付け可能であるときに点滅する。遊技開始表示ランプ２５は、入賞ライン８ａ〜８ｅの少なくとも１本が有効化されたときに点灯する。
【００３２】
払出枚数表示部１８は、入賞成立時のメダルの払出枚数を表示するものであり、クレジット表示部１９は、貯留されているメダルの枚数を表示するものであり、ボーナス回数表示部２０は、ボーナス中の遊技情報を表示する。これらの表示部は、７セグメント表示器からなるものである。
【００３３】
ここで、本実施形態では、キャビネット２の側面には、本実施形態の遊技機１にて遊技を行う遊技者と、当該遊技機１に隣接して設置される遊技機にて遊技を行う遊技者との間に出没可能に配置される煙遮断ディスプレイ１５０が設けられている。この煙遮断ディスプレイ１５０は、突出した場合に電源がＯＮとなり、遊技機１の取扱説明書に係る映像（図６参照）や遊技店のイベントカレンダーに係る映像（図７参照）などが表示されるようになっている。
【００３４】
キャビネット２の上方の左右には、スピーカ２１Ｌ・２１Ｒが設けられ、その２台のスピーカ２１Ｌ・２１Ｒの間には、入賞図柄の組み合せ及びメダルの配当枚数等を表示する配当表パネル２３が設けられている。このスピーカ２１Ｌ・２１Ｒは、後述する液晶表示装置５に表示される演出画像とともに出力されるＢＧＭ、内部抽籤の結果に基づいて出力される報知音やメダルがメダル投入口に投入される際に出力される報知音など様々な音声を遊技者に聞かせて音響による演出効果を高めている。また、スピーカ２１Ｌ・２１Ｒや配当表パネル２３の上方にはＬＥＤランプ２９が設けられており、遊技状態に応じた演出に伴い、点滅等するようになっている。
【００３５】
また、本実施形態では、スピーカ２１Ｌの上方には、煙検知センサ６９が設けられている。この煙検知センサ６９は、光学検知式センサなどからなり、検知信号が後述する副制御回路７２に供給されるようになっている。
【００３６】
図１に示すように、液晶表示装置５の下方には、水平面を有する台座部１０が形成されており、台座部１０の右側には、メダル投入口２２が設けられ、台座部１０の左側には、１−ＢＥＴボタン１１及び最大ＢＥＴボタン１２が設けられている。１−ＢＥＴボタン１１は、１回の押し操作により、クレジットされているメダルのうちの１枚を遊技への賭け枚数とし、２回の押し操作により、クレジットされているメダルのうちの２枚を遊技への賭け枚数とする。最大ＢＥＴボタン１２は、１回の遊技に賭けることが可能な最大枚数（３枚）を遊技への賭け枚数とする。これらＢＥＴボタン１１・１２を操作することで、上述の入賞ライン８ａ〜８ｅが有効化されるようになっている。
【００３７】
台座部１０の前面部の左端には、遊技者が獲得したメダルのクレジット／払い出しを押し操作により切り替える貯留メダル精算ボタン１４（以下、Ｃ／Ｐボタン１４と言う）が設けられている。このＣ／Ｐボタン１４の切り替えにより「払い出し」が選択された場合には、正面下部のメダル払出口１５からメダルが払い出され、払い出されたメダルはメダル受部１６に溜められる。一方、「クレジット」が選択された場合には、遊技機１が備えるメモリ（例えば、後述するＲＡＭ３３等）にメダル数がクレジットとして記憶される。
【００３８】
Ｃ／Ｐボタン１４の右側には、遊技者の操作により回転リール３Ｌ・３Ｃ・３Ｒを回転させるための遊技開始指令手段としてのスタートレバー６が所定の角度範囲で回動自在に取り付けられている。台座部１０の前面部中央には、３個の回転リール３Ｌ、３Ｒ、３Ｃの回転をそれぞれ停止させるための３個の停止ボタン７Ｌ・７Ｃ・７Ｒが設けられている。
【００３９】
また、本実施形態では、停止ボタン７Ｒの右側には、上記した煙遮断ディスプレイ１５０の出没動作の開始を指令する出没開始指令手段としてのディスプレイ引出ボタン４２が設けられている。また、このディスプレイ引出ボタン４２の右側には、煙遮断ディスプレイ１５０に表示される映像を切り替える表示切替ボタン４３が設けられている
【００４０】
（液晶表示装置）
ここで、液晶表示装置５の構造について説明する。液晶表示装置５は、図４及び図５に示すように、保護ガラス５２と表示板５３とからなる正面パネル５１、透過液晶パネル５４、導光板５５、反射フィルム５６、所謂白色光源である蛍光ランプ５７ａ・５７ｂ、５８ａ・５８ｂ、ランプホルダ５９ａ〜５９ｈ、及び、透過液晶パネル駆動用のＩＣを搭載したテーブルキャリアパッケージ（ＴＣＰ）からなり、ＴＣＰは、透過液晶パネル５４の端子部に接続したフレキシブル基板（図示せず）等により構成される。この液晶表示装置５は、既に述べたように、リール３Ｌ・３Ｃ・３Ｒより手前側に設けられている。また、このリール３Ｌ・３Ｃ・３Ｒと液晶表示装置５とは、所定の間隔をあけて設けられている。
【００４１】
保護ガラス５２及び表示板５３は、透明な部材で構成されている。表示板５３には、上述のＢＥＴランプ９ａ〜９ｃ等に対応する位置に絵柄等が形成されている。すなわち、表示板５３の絵柄等が形成されている領域が、正面パネル５１における絵柄形成領域５１ｂであり、表示板５３の絵柄等が形成されていない領域が、正面パネル５１における表示窓５１ａである（図２参照）。なお、正面パネル５１に絵柄形成領域５１ｂを形成せず、正面パネル５１の全面を表示窓５１ａとしてもよい。この場合、表示板５３に絵柄を形成しないか、又は、表示板５３を省略すればよい。なお、表示板５３の裏面側に配置される各種ランプ及び各種表示部を動作させる電気回路等は図示していない。
【００４２】
透過液晶パネル５４は、薄膜トランジスタ層が形成されたガラス板等の透明な基板と、これに対向する透明な基板との間隙部に液晶が封入されて形成されている。この透過液晶パネル５４の表示モードは、ノーマリーホワイトに設定されている。ノーマリーホワイトとは、液晶を駆動していない状態で白表示（表示面側に透過した光が外部より視認可能である）となる構成である。ノーマリーホワイトに構成された透過液晶パネル５４を採用することにより、液晶を駆動することができない事態が生じた場合であっても、リール３Ｌ・３Ｃ・３Ｒに表示された図柄等の識別情報の可変表示及び停止表示を視認することができ、遊技を継続することができる。すなわち、そのような事態が発生した場合でも、リール３Ｌ・３Ｃ・３Ｒに表示された識別情報（例えば、図柄）の変動表示態様及び停止表示
態様を中心とした遊技を行うことができる。
【００４３】
導光板５５は、蛍光ランプ５７ａ・５７ｂからの光を透過液晶パネル５４へ導き出す（透過液晶パネル５４を照明する）ためのものであり、透過液晶パネル５４の裏側に設けられ、例えば、２ｃｍ程度の厚さを有するアクリル系樹脂等の透明部材（導光機能を有する）で構成されている。
【００４４】
反射フィルム５６は、例えば、白色のポリエステルフィルムやアルミ薄膜に銀蒸着膜を形成したものが用いられ、導光板５５に導入された光を導光板５５の正面側へ向けて反射させる。この反射フィルム５６は、反射領域５６Ａ及び非反射領域（透過領域）５６Ｂにより構成されている。
【００４５】
蛍光ランプ５７ａ・５７ｂは、導光板５５の上端部及び下端部に沿って配置され、両端はランプホルダ５９により支持されている。この蛍光ランプ５７ａ・５７ｂから照射される光は、反射フィルム５６の反射領域５６Ａで反射して透過液晶パネル５４を照明する。
【００４６】
蛍光ランプ５８ａ・５８ｂは、反射フィルム５６の裏側の上方位置及び下方位置にリール３Ｌ・３Ｃ・３Ｒに向かって配置されている。この蛍光ランプ５８ａ・５８ｂから出てリール３Ｌ・３Ｃ・３Ｒの表面で反射して非反射領域５６Ｂへ入射した光は、透過液晶パネル５４を照明する。
【００４７】
このように、液晶表示装置５においては、蛍光ランプ５７ａ・５７ｂから照射され、反射フィルム５６の反射領域５６Ａで反射した光と、蛍光ランプ５８ａ・５８ｂから照射され、リール３Ｌ・３Ｃ・３Ｒの表面で反射して非反射領域５６Ｂへ入射した光とが、透過液晶パネル５４を照明する。従って、反射フィルム５６の非反射領域５６Ｂに対応する液晶表示装置５の領域は、液晶を駆動しているか否かによって、透明／非透明の状態に切り替わる領域であり、反射フィルム５６の反射領域５６Ａに対応する液晶表示装置の領域は、液晶を駆動しているか否かに拘わらず非透明状態となる。
【００４８】
遊技機１では、液晶表示装置５の一部の領域のみが、透明／非透明の状態に切り替わる領域であるが、本発明の遊技機１において、液晶表示装置の表示画面は、その全領域が透明／非透明の状態に切り替わる領域であってもよい。この場合、遊技機１において、液晶表示装置５の全領域を透過状態又は非透過状態に切り替わる領域とする場合、反射フィルム５６を全て非反射領域５６Ｂとするか、反射フィルム５６を省略すればよい。
【００４９】
（煙遮断ディスプレイ）
次に、煙遮断ディスプレイ１５０の構造について説明する。煙遮断ディスプレイ１５０は、図８及び図９に示すように、保護ガラスの正面パネル１５１、透過液晶パネル１５２、導光板１５３、反射フィルム１５４、所謂白色光源である蛍光ランプ１５５ａ・１５５ｂ、ランプホルダ１５６ａ〜１５６ｄ、及び、透過液晶パネル駆動用のＩＣを搭載したテーブルキャリアパッケージ（ＴＣＰ）からなり、ＴＣＰは、透過液晶パネル１５２の端子部に接続したフレキシブル基板（図示せず）等により構成される。
【００５０】
正面パネル１５１は、透明な部材で構成されている。また、透過液晶パネル１５２は、薄膜トランジスタ層が形成されたガラス板等の透明な基板と、これに対向する透明な基板との間隙部に液晶が封入されて形成されている。この透過液晶パネル１５２の表示モードは、ノーマリーホワイトに設定されている。
【００５１】
導光板１５３は、蛍光ランプ１５５ａ・１５５ｂからの光を透過液晶パネル１５２へ導き出す（透過液晶パネル１５２を照明する）ためのものであり、透過液晶パネル１５２の裏側に設けられ、例えば、２ｃｍ程度の厚さを有するアクリル系樹脂等の透明部材（導光機能を有する）で構成されている。
【００５２】
反射フィルム１５４は、例えば、白色のポリエステルフィルムやアルミ薄膜に銀蒸着膜を形成したものが用いられ、導光板１５３に導入された光を導光板１５３の正面側へ向けて反射させる。
【００５３】
蛍光ランプ１５５ａ・１５５ｂは、導光板１５３の上端部及び下端部に沿って配置され、両端はランプホルダ１５６により支持されている。この蛍光ランプ１５５ａ・１５５ｂから照射される光は、反射フィルム１５４で反射して透過液晶パネル１５２を照明する。
【００５４】
（遊技機１の電気的構成：主制御回路）
上記の遊技機１は、図１０に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００５５】
上記のＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００５６】
尚、乱数サンプリングのための手段として、マイクロコンピュータ３０内で、即ち、ＣＰＵ３１の動作プログラム上で乱数サンプリングを実行するように構成してもよい。その場合、乱数発生器３６及びサンプリング回路３７は省略可能であり、或いは、乱数サンプリング動作のバックアップ用として残しておくことも可能である。
【００５７】
上記のマイクロコンピュータ３０からの制御信号により動作が制御される主要なアクチュエータとしては、各種ランプ（ＢＥＴランプ９ａ・９ｂ・９ｃ、ＷＩＮランプ１７、メダル投入ランプ２４、遊技開始表示ランプ２５）と、各種表示部（払出枚数表示部１８、クレジット表示部１９、ボーナス回数表示部２０）と、メダルを収納し、ホッパー駆動回路４１の命令により所定枚数のメダルを払出す上述のホッパー（払出しのための駆動部を含む）４０と、リール３Ｌ・３Ｃ・３Ｒを回転駆動するステッピングモータ４９Ｌ・４９Ｃ・４９Ｒとがある。
【００５８】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００５９】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１Ｓ、最大ＢＥＴスイッチ１２Ｓ、Ｃ／Ｐスイッチ１４Ｓ、ディスプレイ引出スイッチ４２Ｓ、表示切替スイッチ４３Ｓ、リール停止信号回路４６、リール位置検出回路４７、払出完了信号回路４４がある。これらもＩ／Ｏポート３８を介してＣＰＵ３１に接続されている。
【００６０】
スタートスイッチ６Ｓは、スタートレバー６の操作を検出する。リール停止信号回路４６は、各停止ボタン７Ｌ・７Ｃ・７Ｒの操作に応じて停止信号を発生する。リール位置検出回路４７は、リール回転センサからのパルス信号を受けて各リール３Ｌ・３Ｃ・３Ｒの位置を検出するための信号をＣＰＵ３１へ供給する。払出完了信号回路４４は、メダル検出部４０Ｓの計数値（ホッパー４０から払出されたメダルの枚数）が指定された枚数データに達した時、メダル払出完了を検知するための信号を発生する。また、ディスプレイ引出スイッチ４２Ｓは、ディスプレイ引出ボタン４２が押下操作される毎に出没信号を発生し、表示切替スイッチ４３Ｓは、表示切替ボタン４３が押下操作される毎に切替信号を発生する。
【００６１】
また、主制御回路７１のＲＡＭ３３には、種々の情報が一時的に格納される。例えば、実行中の遊技状態や、投入されたメダルの枚数等が格納される。一方、主制御回路７１のＲＯＭ３２には、スタートレバー６を操作（スタート操作）する毎に行われる乱数サンプリングの判定に用いられる確率抽籤テーブル、停止ボタンの操作に応じてリールの停止態様を決定するための停止テーブル群等の各種のデータテーブルや、副制御回路７２へ送信するための各種制御指令（コマンド）等が格納されている。
【００６２】
（遊技機１の電気的構成：副制御回路）
上記の主制御回路７１は、副制御回路７２にコマンドや情報等を一方向に出力可能に接続されている。副制御回路７２は、図１１に示すように、主制御回路７１からの制御指令（コマンド）に基づいて液晶表示装置５の表示制御、及びスピーカ２１Ｌ・２１Ｒからの音やＬＥＤランプ２９からの光の出力制御を行う。この副制御回路７２は、主制御回路７１を構成する主基板とは別の副基板上に構成され、マイクロコンピュータ（以下『サブマイクロコンピュータ』という）７３を主たる構成要素とし、液晶表示装置５の表示制御手段としての画像制御回路８１ａ、スピーカ２１Ｌ・２１Ｒにより出力される音を制御する音源ＩＣ７８、増幅器としてのパワーアンプ７９、ＬＥＤランプ２９を駆動するＬＥＤ駆動回路７７、煙遮断ディスプレイ１５０の表示制御手段としての画像制御回路８１ｂ、煙遮断ディスプレイ１５０を出没可能に移動させるディスプレイ駆動機構１５７の制御手段としてのディスプレイ駆動回路８８を備えている。
【００６３】
サブマイクロコンピュータ７３は、主制御回路７１から送信された制御指令に従って制御動作を行うサブＣＰＵ７４と、副基板側記憶手段としてのプログラムＲＯＭ７５と、ワークＲＡＭ７６と、タイマ８０とを含む。尚、副制御回路７２は、クロックパルス発生回路、分周器、乱数発生器及びサンプリング回路を備えていないが、サブＣＰＵ７４の動作プログラム上で乱数サンプリングを実行するように構成されている。プログラムＲＯＭ７５は、サブＣＰＵ７４で実行するルーチン等の制御プログラム、その処理ルーチンで使用されるテーブル等を格納している。また、ワークＲＡＭ７６は、上記制御プログラムをサブＣＰＵ７４で実行するときの一時記憶手段として構成され、例えば、ゲーム回数やボーナスフラグ等が格納される。また、本実施形態のワークＲＡＭ７６は、上記したディスプレイ引出ボタン４２の押下操作によってディスプレイ引出スイッチ４２Ｓから発生される出没信号に基づいて変化するディスプレイフラグが格納されている。つまり、このディスプレイフラグは、現在の煙遮断ディスプレイ１５０が突出状態か没入状態かを示している。また、本実施形態のタイマ８０は、煙検知センサ６９が周囲の煙を検知しなくなってから所定の時間が経過した場合に、完了信号を発生する。そして、この完了信号を受けたサブＣＰＵ７４は、ディスプレイ駆動機構１５７を動作させて、煙遮断ディスプレイ１５０を没入させる。これにより、周囲に煙が発生していないにも関わらず、煙遮断ディスプレイ１５０が突出したままになるのを防止することができる。
【００６４】
画像制御回路８１ａは、画像制御ＩＣ８２ａ、画像制御ワークＲＡＭ８３ａ、画像ＲＯＭ８６ａ、及びビデオＲＡＭ８７ａで構成される。画像制御ＩＣ８２ａは、サブマイクロコンピュータ７３で設定されたパラメータに基づき、画像制御プログラムに従って液晶表示装置５での表示内容を決定する。画像制御ワークＲＡＭ８３ａは、画像制御プログラムを画像制御ＩＣ８２ａで実行するときの一時記憶手段（バッファ）として構成される。画像ＲＯＭ８６ａは、画像を形成するためのドットデータを格納する。ビデオＲＡＭ８７ａは、画像制御ＩＣ８２ａで画像を形成するときの一時記憶手段として構成される。
【００６５】
また、画像制御回路８１ｂは、上記画像制御回路８１ａと同様に、画像制御ＩＣ８２ｂ、画像制御ワークＲＡＭ８３ｂ、画像ＲＯＭ８６ｂ、及びビデオＲＡＭ８７ｂで構成される。画像制御ＩＣ８２ｂは、サブマイクロコンピュータ７３で設定されたパラメータに基づき、画像制御プログラムに従って煙遮断ディスプレイ１５０での表示内容を決定する。画像制御ワークＲＡＭ８３ｂは、画像制御プログラムを画像制御ＩＣ８２ｂで実行するときの一時記憶手段（バッファ）として構成される。画像ＲＯＭ８６ｂは、画像を形成するためのドットデータを格納する。具体的には、画像ＲＯＭ８６ｂは、遊技機１の取扱説明書に係る映像を形成するためのドットデータや遊技店のイベントカレンダーに係る映像を形成するためのドットデータは格納する。ビデオＲＡＭ８７ｂは、画像制御ＩＣ８２ｂで画像を形成するときの一時記憶手段として構成される。
【００６６】
ＬＥＤ駆動回路７７は、サブＣＰＵ７４からの制御指令に基づいて、ＬＥＤランプ２９を制御する。音源ＩＣ７８は、パワーアンプ７９のゲインを制御し、スピーカ２１Ｌ・２１Ｒから出力される音声のボリュームを調節することができる。ディスプレイ駆動回路８８は、サブＣＰＵ７４からの制御指令に基づいて、ディスプレイ駆動機構１５７を制御して、煙遮断ディスプレイ１５０を出没させる。
【００６７】
（遊技状態）
以上のように構成された遊技機１は、『一般遊技状態』、『ＲＢ遊技状態』及び『ＢＢ一般遊技状態』からなる３種類の遊技状態を出現させる。これら「３種類」の各遊技状態は、基本的に、内部当籤する可能性のある役の種類、再遊技に内部当籤する確率及び入賞成立を実現することが可能なボーナスの種別、内部当籤と入賞成立との関係により区別される。
【００６８】
『一般遊技状態』は、基本的に、所謂「出球率」（遊技に賭けられた単位有価価値に対して遊技者に付与される有価価値）の期待値が「１」よりも小さい遊技状態であり、他の遊技状態と比べて遊技者にとって最も不利な遊技状態である。
【００６９】
『ＢＢ一般遊技状態』は、『一般遊技状態』において、ＢＢに内部当籤し、ＢＢに入賞した場合に発生する。ＢＢの入賞は、『一般遊技状態』において「赤７−赤７−赤７」又は「青７−青７−青７」が有効ラインに沿って並ぶことにより成立する。『ＢＢ一般遊技状態』は、３０回の小役ゲーム又は３回のＲＢ（レギュラーボーナス）を消化すると終了する。なお、『ＢＢ一般遊技状態』は、所定枚数のメダルの払い出しが完了すれば終了するようにしてもよい。
【００７０】
『ＲＢ遊技状態』は、『一般遊技状態』よりも出玉率の期待値が高く、他の遊技状態と比べて遊技者にとって最も有利な遊技状態である。『ＲＢ遊技状態』は、『一般遊技状態』又は『ＢＢ一般遊技状態』においてＲＢ（レギュラーボーナス）に入賞した場合に発生する。ＲＢの入賞は、一般遊技状態又はＢＢ一般遊技状態において「赤７−赤７−青７」が有効ラインに沿って並ぶことにより成立する。なお、『ＢＢ一般遊技状態』においてＲＢの入賞が成立することを、一般に『ＪＡＣＩＮ』と称し、その後のゲームを『ＪＡＣゲーム』と称す。なお、各遊技状態間の移行は、ボーナス図柄の組み合せが入賞ライン上に表示されたとき等により移行する。
【００７１】
（主制御回路７１の動作）
上記の構成において、図１２に示すメインルーチンのフローチャートを参照して、主制御回路７１のＣＰＵ３１の制御動作について説明する。
【００７２】
（メインルーチン）
初めに、ＣＰＵ３１は、遊技開始時の初期化を行う（Ａ１）。具体的には、ＲＡＭ３３の記憶内容の初期化、通信データの初期化等を行う。続いてゲーム終了時のＲＡＭ３３の所定の記憶内容を消去する（Ａ２）。具体的には、前回のゲームに使用されたＲＡＭ３３の書き込み可能エリアのデータの消去、ＲＡＭ３３の書き込みエリアへの次回のゲームに必要なパラメータの書き込み、次回のゲームのシーケンスプログラムの開始アドレスの指定等を行う。
【００７３】
次に、ＣＰＵ３１は、メダル投入処理を行う（Ａ３）。この処理で、投入メダルセンサ２２ＳやＢＥＴスイッチ１１Ｓ・１２Ｓからの入力があるまで待機状態となる。この後、メダル投入信号を副制御回路７２に送信すると共に、スタートレバー６の操作によりスタートスイッチ６Ｓがオンされたか否かを判定する（Ａ４）。
【００７４】
スタートスイッチ６Ｓがオンされてない場合には（Ａ４：Ｎｏ）、Ａ４を繰り返すことにより入力待ちの状態となり、スタートスイッチ６Ｓがオンされた場合には（Ａ４：Ｙｅｓ）、遊技開始信号を副制御回路７２に送信すると共に、抽籤用の乱数を抽出する（Ａ５）。そして、遊技状態監視処理を実行することによって、今回のゲームにおける遊技状態を確認する（Ａ６）。即ち、今回のゲームの遊技状態をＢＢ一般遊技状態、ＲＢ遊技状態及び一般遊技状態の何れかにセットする。
【００７５】
そして、確率抽籤処理を行い（Ａ７）、内部当籤役を決定する。続いて、停止テーブル群選択処理が実行される（Ａ８）。具体的には、内部当籤役の種類を用いて特定の停止テーブル群を選択する。かかる停止テーブル群は、後のＡ１０において、リール３Ｌ・３Ｃ・３Ｒを停止させる際に使用される。ここで、内部当籤役や、遊技状態、停止テーブル群、内部当籤役に対応する図柄に係る情報を含む遊技情報信号を副制御回路７２へ送信する。続いて、リール回転処理が行われる（Ａ９）。具体的には、リール３Ｌ・３Ｃ・３Ｒを回転させ、所定速度（例えば、定速回転）に達した際に、リール停止許可信号を副制御回路７２に送信する。リール停止許可信号には、所定速度に達した後、リール位置検出回路４７が内部当籤役に対応する図柄が有効ライン（具体的には、センターライン８ｃ）に位置したときに検出する検出信号が含まれる。
【００７６】
次に、リール回転停止処理が実行される（Ａ１０）。即ち、何れかの停止ボタン７Ｌ・７Ｃ・７Ｒが操作されたタイミングや自動停止タイマの値が「０」になったタイミングで滑りコマ数を決定するための滑りコマ数決定処理を行う。具体的には、Ａ９において決定（選択）された停止テーブル、停止操作位置及び停止制御位置に基づいて滑りコマ数を決定する。『滑りコマ数』は、停止ボタンが操作された後、リールが停止するまでの間に移動する図柄の数である（リールが停止するまでの間における図柄の移動量（移動距離）を示す）。なお、本実施の形態では『滑りコマ数』は「０」とする。即ち、停止ボタン７Ｌ・７Ｃ・７Ｒが操作されると同時にリールが停止する。続いて、滑りコマ数分、停止操作された停止ボタンに対応するリールを回転させてから停止させる。尚、停止ボタン７Ｌ・７Ｃ・７Ｒが操作され、対応するリールが停止する毎にリール停止信号（左、中、右）を副制御回路７２に送信する。また、全てのリールが停止したときに、全リール停止信号を副制御回路７２に送信する。
【００７７】
次に、ＣＰＵ３１は入賞判定を行う（Ａ１１）。入賞判定とは、透過液晶パネル５４を介して視認可能なリールの９つの図柄の停止態様に基づいて入賞役（入賞が成立した役）を識別する。具体的には、センターライン８ｃに沿って並ぶ図柄のコードナンバー及び入賞判定テーブルに基づいて入賞役を識別する。そして、入賞信号を副制御回路７２に送信する。この後、獲得したメダルのクレジット又は払出しを行う（Ａ１２）。具体的には、入賞成立によりメダルを獲得する場合は、払出枚数表示部１８にメダルの獲得枚数を表示する。そして、遊技者がＣ／Ｐボタン１４を切り替えることにより、獲得したメダルを遊技機１内にクレジットするか、メダル払出口１５からメダルを払い出すかを選択することができる。尚、クレジットしたメダルは、次ゲームでＢＥＴボタン１１・１２を押すことによりメダルを賭けることができる。
【００７８】
次に、現在の遊技状態が『ＢＢ一般遊技状態』又は『ＲＢ遊技状態』であるか否かを判定する（Ａ１３）。遊技状態が『ＢＢ一般遊技状態』又は『ＲＢ遊技状態』でない場合には（Ａ１３：ＮＯ）、Ａ２に戻る。遊技状態が『ＢＢ一般遊技状態』又は『ＲＢ遊技状態』である場合には（Ａ１３：Ｙｅｓ）、ボーナス（ＢＢ，ＲＢ）の『遊技数チェック処理』を行う（Ａ１４）。この『遊技数チェック処理』では、ＲＢ遊技状態が発生した回数、ＢＢ一般遊技状態のゲーム回数、ＲＢ遊技状態における入賞回数、及びＲＢ遊技状態におけるゲーム回数をチェックすると共に、ＢＢ一般遊技状態及びＲＢ遊技状態間における遊技状態の移行（セット）を行う。
【００７９】
次に、ボーナスの終了時であるか否かを判定する（Ａ１５）。具体的には、ＢＢの入賞が成立した後では、３回目のＲＢ遊技状態において入賞回数が８回又はゲーム回数が１２回であるか、又はＢＢ一般遊技状態においてゲーム回数が３０回であるか否かを判別する。また、「赤７−赤７−青７」が有効ラインに沿って並ぶことによりＲＢの入賞が成立した後では、ＲＢ遊技状態において入賞回数が８回又はゲーム回数が１２回であるか否かを判別する。この結果、ボーナスの終了時でないと判定した場合には（Ａ１５：Ｎｏ）、Ａ２に戻る。一方、ボーナスの終了時であると判定した場合には（Ａ１５：Ｙｅｓ）、ボーナス終了信号を副制御回路７２に出力し（Ａ１６）、Ａ２に戻る。
【００８０】
（副制御回路７２の動作:煙遮断ディスプレイ制御処理ルーチン）
次に、図１３を参照して、副制御回路７２による煙遮断ディスプレイ制御処理ルーチンについて説明する。
【００８１】
まず、ワークＲＡＭ７６に記憶されるディスプレイフラグがＯＮであるか否かが判断されて、煙遮断ディスプレイ１５０が突出しているのか、或いは、没入しているのかが判断される（Ｂ１）。そして、ディスプレイフラグがＯＦＦの場合（Ｂ１：Ｎｏ）、即ち、煙遮断ディスプレイ１５０が没入している場合には、ディスプレイ引出ボタン４２が押下されたか否かが判断される（Ｂ２）。そして、ディスプレイ引出ボタン４２が押下されない場合には（Ｂ２：Ｎｏ）、煙検知センサ６９が周囲の煙を検知したか否かが判断される（Ｂ３）。また、ディスプレイ引出ボタン４２が押下される場合（Ｂ２：Ｙｅｓ）、及び、煙検知センサ６９が周囲の煙を検知する場合（Ｂ３：Ｙｅｓ）には、ディスプレイ引出スイッチ４２Ｓからの出没信号又は煙検知センサ６９からの検知信号に基づいて、ディスプレイ駆動機構１５７を動作させて、煙遮断ディスプレイ１５０を突出させる（Ｂ４）。この際、煙遮断ディスプレイ１５０の電源がＯＮとなる。なお、煙検知センサ６９が周囲の煙を検知しない場合には（Ｂ３：Ｎｏ）、Ｂ２の処理に戻る。
【００８２】
そして、煙遮断ディスプレイ１５０が突出した後、ワークＲＡＭ７６に記憶されるディスプレイフラグがＯＮに更新される（Ｂ５）。その後、煙遮断ディスプレイ１５０には、画像ＲＯＭ８６ｂに格納される遊技機１の取扱説明書に係る映像を形成するためのドットデータに基づいて、取扱説明書に係る映像が表示される（Ｂ６）。そして、表示切替ボタン４３が押下されたか否かが判断されて（Ｂ７）、当該表示切替ボタン４３が押下された場合には（Ｂ７：Ｙｅｓ）、表示切替スイッチ４３Ｓからの切替信号に基づいて、煙遮断ディスプレイ１５０に表示される取扱説明書に係る映像が、イベントカレンダーに係る映像に切り替わる。具体的には、画像ＲＯＭ８６ｂに格納される遊技店のイベントカレンダーに係る映像を形成するためのドットデータに基づいて、イベントカレンダーに係る映像が表示される（Ｂ８）。
【００８３】
一方、Ｂ１の判断処理において、ディスプレイフラグがＯＮの場合（Ｂ１：Ｙｅｓ）、即ち、煙遮断ディスプレイ１５０が突出している場合には、ディスプレイ引出ボタン４２が押下されたか否かが判断される（Ｂ９）。そして、ディスプレイ引出ボタン４２が押下される場合には（Ｂ９：Ｙｅｓ）、後段のＢ１３の処理に移行して、煙遮断ディスプレイ１５０を没入させる。これに対して、ディスプレイ引出ボタン４２が押下されない場合には（Ｂ９：Ｎｏ）、煙検知センサ６９が周囲の煙を検知したか否かが判断される（Ｂ１０）。そして、煙検知センサ６９が周囲の煙を検知する場合には（Ｂ１０：Ｙｅｓ）、前述したＢ７の処理に移行する。
【００８４】
また、煙検知センサ６９が周囲の煙を検知しない場合には（Ｂ１０：Ｎｏ）、タイマ８０がＯＮ状態となり（Ｂ１１）、時間を計測し始める。そして、経過時間がタイマ８０に予め設定される時間に達した場合には（Ｂ１２：Ｙｅｓ）、タイマ８０からの完了信号に基づいて、突出している煙遮断ディスプレイ１５０が没入される（Ｂ１３）。そして、ワークＲＡＭ７６に記憶されるディスプレイフラグがＯＦＦに更新される（Ｂ１４）。そして、Ｂ２の処理に戻る。一方、タイマ８０に予め設定される時間が経過していない場合には（Ｂ１２：Ｎｏ）、Ｂ１０の処理に戻る。
【００８５】
（本実施形態の概要）
以上、説明したように、本実施形態の遊技機１は、遊技の開始を指令する遊技開始指令手段（スタートレバー６、スタートスイッチ６Ｓ等）と、複数の図柄を変動表示可能な図柄表示手段（ステッピングモータ４９Ｌ・４９Ｃ・４９Ｒ、リール位置検出回路４７、リール３Ｌ・３Ｃ・３Ｒ等）と、遊技の開始と遊技状態とに基づいて内部当籤役を決定する内部当籤役決定手段（主制御回路７１、メインルーチン等）と、図柄の変動表示が停止される結果が所定の停止態様である場合に、遊技価値を付与する遊技価値付与手段（主制御回路７１、メインルーチン、ホッパー４０、ホッパー駆動回路４１、メダル検出部４０ｓ等）と、遊技機１の取扱説明書に係る映像（図６参照）や遊技店のイベントカレンダーに係る映像（図７参照）を表示可能で、かつ、隣接する遊技者の間に出没可能に配置される仕切手段（煙遮断ディスプレイ１５０）とを備えている。
【００８６】
上記の構成によれば、隣接する遊技機１における遊技者の喫煙によりタバコの煙が発生した場合でも、仕切手段（煙遮断ディスプレイ１５０）を突出させることにより、当該タバコの煙を遮蔽することができる。突出される仕切手段には取扱説明書に係る映像やイベントカレンダーに係る映像が表示可能であるので、タバコの煙を遮蔽するために突出させたとしても、隣接する遊技機における遊技者に対して、露骨にタバコの煙に対して嫌悪を示してしまうのを抑制することができる。これにより、遊技に専念できる快適な遊技環境を遊技者に提供することができるとともに、隣接する喫煙者に嫌悪を与えてしまうのを抑制することができる。その結果、喫煙者及び非喫煙者の両遊技者に対して、遊技に専念できる環境を提供することができる。
【００８７】
また、本実施形態では、煙遮断ディスプレイ１５０に表示される取扱説明書に係る映像や遊技店のイベントカレンダーに係る映像の切替を遊技者の操作に応じて指令する切替指令手段（表示切替ボタン４３、表示切替スイッチ４３Ｓ等）と、切替指令手段の指令に基づいて、煙遮断ディスプレイ１５０に表示される映像を切り替える表示制御手段（副制御回路７２、画像制御ＩＣ８２ｂ等）とを備えている。このように構成すれば、遊技者の操作に応じて煙遮断ディスプレイ１５０に表示される映像を切り替えることができるので、遊技者は所望の映像を選択して見ることができる。
【００８８】
また、本実施形態では、仕切手段（煙遮断ディスプレイ１５０）の出没動作の開始を遊技者の操作に応じて指令する出没開始指令手段（ディスプレイ引出ボタン４２、ディスプレイ引出スイッチ４２Ｓ等）をさらに備えている。そして、制御手段（副制御回路７２、ディスプレイ駆動回路８８、ディスプレイ駆動機構１５７など）は、出没開始指令手段の指令に基づいて、仕切手段を突出及び没入させる。このように構成すれば、遊技者の操作に応じて仕切手段を突出及び没入させることができるので、遊技者の所望のタイミングで仕切手段を突出及び没入させることができる。
【００８９】
また、本実施形態では、周囲の煙を検知する検知手段（煙検知センサ６９）をさらに備えている。そして、制御手段（副制御回路７２、ディスプレイ駆動回路８８、ディスプレイ駆動機構１５７など）は、検知手段により煙が検知される場合に、仕切手段（煙遮断ディスプレイ１５０）を突出させ、検知手段により煙が検知されない場合に、仕切手段を没入させる。このように構成すれば、タバコの煙の検知結果に基づいて仕切手段を自動的に突出及び没入させることができる。
【００９０】
（第２実施形態）
本発明の第２実施形態による遊技機１００を図１４及び図１５に基づいて以下に説明する。
【００９１】
この第２実施形態では、上記第１実施形態と異なり、種々の情報を表示可能で、かつ、隣接する遊技者の間に出没可能に配置される仕切手段として種々の情報に係る印刷物を挟持することが可能な表示パネル２５０を備える遊技機１００について説明する。なお、第２実施形態では、第１実施形態の煙遮断ディスプレイ１５０の代わりに表示パネル２５０設けたこと以外は、上記第１実施形態と同様であるので、表示パネル２５０以外の構成の説明を省略する。
【００９２】
ここで、本実施形態では、図１４に示すように、キャビネット２の側面には、本実施形態の遊技機１００にて遊技を行う遊技者と、当該遊技機１００に隣接して設置される遊技機にて遊技を行う遊技者との間に出没可能に配置される表示パネル２５０が設けられている。この表示パネル２５０は、遊技機１００の取扱説明書に係る印刷物３００や遊技店のイベントカレンダーなどを挟持可能に構成されている。
【００９３】
そして、この表示パネル２５０は、図１５に示すように、透明素材からなる表面パネル２５１と、透明素材からなる裏面パネル２５２と、両パネルを固定するための４つのビス２５３から構成されている。そして、表面パネル２５１と裏面パネル２５２との間に上記した印刷物３００を挟みこんだ状態で４つのビス２５３を締め付けることで組み立てられる。
【００９４】
（本実施形態の概要）
以上、説明したように、本実施形態の遊技機１００は、遊技機１００の取扱説明書や遊技店のイベントカレンダーを表示可能で、かつ、隣接する遊技者の間に出没可能に配置される仕切手段（表示パネル２５０）を備えている。
【００９５】
上記の構成によれば、隣接する遊技機における遊技者の喫煙によりタバコの煙が発生した場合でも、仕切手段（表示パネル２５０）を突出させることにより、当該タバコの煙を遮蔽することができる。突出される仕切手段には取扱説明書やイベントカレンダーが表示可能であるので、タバコの煙を遮蔽するために突出させたとしても、隣接する遊技機における遊技者に対して、露骨にタバコの煙に対して嫌悪を示してしまうのを抑制することができる。これにより、遊技に専念できる快適な遊技環境を遊技者に提供することができるとともに、隣接する喫煙者に嫌悪を与えてしまうのを抑制することができる。その結果、喫煙者及び非喫煙者の両遊技者に対して、遊技に専念できる環境を提供することができる。
【００９６】
また、本実施形態では、仕切手段（表示パネル２５０）は、取扱説明書やイベントカレンダーに係る印刷物３００を挟持する透明の表面パネル２５１及び裏面パネル２５２を有している。このように構成すれば、簡易な構成でかつ安価に、種々の情報を表示可能でかつタバコの煙を遮蔽可能な仕切手段（表示パネル２５０）を得ることができる。
【００９７】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００９８】
例えば、上記第１実施形態では、種々の情報を表示可能で、かつ、隣接する遊技者の間に出没可能に配置される仕切手段として液晶表示装置である煙遮断ディスプレイを用いたが、本発明はこれに限らず、プラズマディスプレイなど種々の表示装置を用いることができる。
【００９９】
また、上記第２実施形態の遊技機においても、第１実施形態の遊技機と同様に、ディスプレイ引出ボタンや表示パネルを移動させる移動機構などを設けて、当該ディスプレイ引出ボタンの押下操作により、自動で表示パネルを移動させてもよい。また、煙検知センサを設けることにより、煙の発生とともに表示パネルを突出させてもよい。
【図面の簡単な説明】
【０１００】
【図１】本発明の第１実施形態の遊技機の全体構成を示した斜視図である。
【図２】遊技機の液晶表示装置の正面図である。
【図３】リール上に配列された図柄を示した図である。
【図４】液晶表示装置の概略構成を示す斜視図である。
【図５】液晶表示装置の一部の構成の展開図である。
【図６】煙遮断ディスプレイの表示画面である。
【図７】煙遮断ディスプレイの表示画面である。
【図８】煙遮断ディスプレイの概略構成を示す斜視図である。
【図９】煙遮断ディスプレイの一部の構成の展開図である。
【図１０】遊技機の主制御回路の構成を示すブロック図である。
【図１１】遊技機の副制御回路の構成を示すブロック図である。
【図１２】メインルーチンのフローチャートである。
【図１３】スピーカ制御処理ルーチンのフローチャートである。
【図１４】本発明の第２実施形態の遊技機の全体構成を示した斜視図である。
【図１５】表示パネルの一部の構成の展開図である。
【符号の説明】
【０１０１】
１、１００  遊技機
３Ｌ・３Ｃ・３Ｒ  回転リール
５  液晶表示装置
６  スタートレバー
６Ｓ  スタートスイッチ
１１  １−ＢＥＴボタン
１２  最大ＢＥＴボタン
４０  ホッパー
４０ｓ  メダル検出部
４１  ホッパー駆動回路
４３  表示切替ボタン
４３Ｓ  表示切替スイッチ
４７  リール位置検出回路
４９Ｌ・４９Ｃ・４９Ｒ  ステッピングモータ
７１  主制御回路
７２  副制御回路
７８  音源ＩＣ
７９  パワーアンプ
８２ａ、８２ｂ  画像制御ＩＣ
８８  ディスプレイ駆動回路
１５０  煙遮断ディスプレイ
１５７  ディスプレイ駆動機構
２５０  表示パネル
２５１  表面パネル
２５２  裏面パネル
【図１】
2008125652.tif 000003
【図２】
2008125652.tif 000004
【図３】
2008125652.tif 000005
【図４】
2008125652.tif 000006
【図５】
2008125652.tif 000007
【図６】
2008125652.tif 000008
【図７】
2008125652.tif 000009
【図８】
2008125652.tif 000010
【図９】
2008125652.tif 000011
【図１０】
2008125652.tif 000012
【図１１】
2008125652.tif 000013
【図１２】
2008125652.tif 000014
【図１３】
2008125652.tif 000015
【図１４】
2008125652.tif 000016
【図１５】
2008125652.tif 000017